(57)【要約】【課題】この発明の目的は、常態で折り畳んだ状態に保持することができるメガネフレームを提供することにある。【解決手段】前枠の両端にテンプルを取り付けたメガネフレームであって、該メガネフレームは、前枠の両端に鎧部を配設し、この鎧部にばね部材を介して直接にテンプルを配設した。【選択図】　　　　図１
2004125889.tif 000002
【特許請求の範囲】
【請求項１】
枠部の両端にテンプルを取り付けたメガネフレームであって、該メガネフレームは、前枠の両端に位置する鎧部にばね部材を介して直接にテンプルを配設したことを特徴とするメガネフレーム。
【請求項２】
前記前枠は鎧部が位置するその外周部が両レンズの外周部よりも大きくなっていてレンズと外周部との間に空所が形成され、この空所の存在で両鎧部間を調整可能であり、両鎧部にばね部材を介して取り付けられた両テンプル間で作用する初期の挟持力を調整可能となっている請求項１記載のメガネフレーム。
【請求項３】
前記前枠の両端部に設けた鎧部は枠部の両端にそれぞれ設けた各一対の板部を対向させることで起立部を形成し、この起立部の外側を一体に連結して舳先のように形成されている請求項１および２記載のメガネフレーム。
【請求項４】
前記ばね部材は湾曲状に屈曲されるとともに、一端が前記鎧部に、他端がテンプルに直接に連結されている請求項１〜４記載のメガネフレーム。
【発明の詳細な説明】
【０００１】
【発明の属する技術分野】
この発明はメガネフレームに関し、特に、前枠とテンプルとの連結にばねを使用したメガネフレームに関するものである。
【０００２】
【従来技術およびその問題点】
従来、一般に知られているメガネフレームにあっては、前枠の両端部に鎧部を位置させ、この鎧部に蝶番を介してテンプルをそれぞれ回動可能に配設してある。これにより前枠に対してテンプルを折り畳んだり、あるいは開いたりして使用者に掛けたり、収納したりするようになっている。
【０００３】
また、メガネフレームによってはばね部材を介在して、テンプルを折り畳んだ状態と開放状態とに付勢するように構成したものがある。すなわち、テンプルを所定の状態に折り畳んだ場合には、ばね部材が付勢することで折り畳んだ状態に位置させ、また、テンプルを所定の開放状態に開いた場合には、やはり、ばね部材が付勢して開放状態に位置させるようにしたものもある。
【０００４】
しかしながら、上記のように鎧部と蝶番とで構成したものの場合、蝶番が緩くなるとテンプルが折り畳み状態から開放状態に容易に回動することになってしまうので、使用しない時は常にケースに収納しておかなければ破損してしまう恐れが多いという問題点を有している。
【０００５】
また、鎧、蝶番、さらにばね部材を用いたものの場合、ばね部材が別個に必要であり、部品点数が多いとともに、組み立て工数も多くなり、これらによって製造コストが高くなるという問題点を有していた。
【０００６】
この発明の目的は鎧部に対してテンプルが自由に回動しないように、常に折り畳んだ状態に保持できるようにして、使用しない時であっても確実に折り畳み状態を保持することができるメガネフレームを提供することにある。
この発明の他の目的は部品点数を少なくして組み立て工数を少なくし、これによって製造コストを下げることができるメガネフレームを提供することにある。
【０００７】
【問題点を解決するための手段】
上記の目的を達成するためにこの発明は、枠部の両端にテンプルを取り付けたメガネフレームであって、このメガネフレームは、前枠の両端に位置する鎧部にばね部材を介して直接にテンプルを配設した構成を有している。そして、前記前枠は鎧部が位置するその外周部が両レンズの外周部よりも大きくなっていてレンズと外周部との間に空所が形成され、この空所の存在で両鎧部間を調整可能であり、両鎧部にばね部材を介して取り付けられた両テンプル間で作用する初期の挟持力を調整可能となっており、また、前記前枠の両端部に設けた鎧部は枠部の両端にそれぞれ設けた各一対の板部を対向させることで起立部を形成し、この起立部の外側を一体に連結して舳先のように形成されている。
さらに、前記ばね部材は湾曲状に屈曲されるとともに、一端が前記鎧部に、他端がテンプルに直接に連結されている構成を有している。
【０００８】
【作用】
この発明は前記の構成を有しているので、メガネフレームの前枠の両端の鎧部にばね部材を介して取り付けられたテンプルは常態で前枠に近接した状態で折り畳まれているとともに、ばね部材に抗して広げることで使用者に掛けることができるようになる。しかも、使用時にばね部材の復帰力によって使用者の頭部の両側を挟持する状態で固定されることになるのでばね部材の復帰力の大きさによって使用者の頭部の挟持力を調整することができる。
【０００９】
【発明の実施の形態】
以下、図面に示すこの発明の実施の形態について説明する。図１はメガネフレームを上方から見た概略図で、説明のために前枠の両端部を変形した説明図である。図２はメガネフレームを下方から見た概略図で、説明のために前枠の両端部を変形した説明図である。図３は前枠の一方にばね部材を介して配設したテンプルを示す概略図で、説明のために少し前枠から離間した説明図である。図４は図３に示す状態からさらにテンプルを離間した状態を示す概略説明図である。
【００１０】
図面において、この発明によるメガネフレーム１にあっては、所謂、フルリムといわれるメガネフレームであって、前枠２を形成する枠部３の全体が金属のリム線で形成されている。
この前枠２は、２つの枠部３、３がブリッジ４を介して連結され、この各枠部３、３のブリッジ４側にはそれぞれノーズ当接部５、５が形成されている。さらに、各枠部３、３はレンズ６、６の横幅よりも大きく形成されていて、両レンズ６、６の内端縁は各枠部３、３とは当接しているとともに、両レンズ６、６の外端縁と各枠部３、３の端縁との間には空所７が形成されている。
【００１１】
そして、各枠部３、３の外端、すなわち前枠の両端部には板部８、８が対向して起立して起立部９が形成され、この起立部９の外側は一体に形成されていることにより、丁度、舳先のように形成された鎧部１０が設けられている。そして、両起立部９の内側、すなわち舳先の内側にはばね板１１の一端部が取り付けられ、ばね板１１の他端側には金属製のテンプル１２、１２が一体に連結されていて、このようなばね板１１およびテンプル１２は前枠２の両側に設けられた鎧部１０にそれぞれ連結されている。
【００１２】
この場合、前記ばね板１１は湾曲状に屈曲されているので常態ではテンプル１２、１２を前枠２に対して折り畳んだ状態に保持されている。
【００１３】
一方、前記テンプル１２、１２をばね板１１に抗して広げることにより両テンプル１２、１２を使用者の頭部の両側を挟持するようにできる。
この場合、各レンズ６の外端縁よりも鎧部１０の方がより外方に位置するようにレンズ６の外端側に空所７を形成してあるので、湾曲したばね板１１を大きく開放することなく使用が可能となり、使用者の頭部を大きな力で挟持しないようにすることができる。
【００１４】
なお、前記実施の形態においては、前枠２およびテンプル１２を金属製に形成したが、これに限定することなく、たとえば、前枠２、ブリッジ４およびテンプル１２を樹脂で被覆したり、あるいは、金属と樹脂との連結材で形成することもできるものであり、要は、前枠２の両端部をできるだけ離間して位置させるとともに、この部位に鎧部１０を配設し、この鎧部１０にばね板１１を介してテンプル１２、１２を取り付ければ良いものである。
【００１５】
【発明の効果】
この発明は前記のように、構成したことにより、前枠に対してテンプルが自由に回動する恐れがなく、常に確実に折り畳んだ状態に保持することができる。
また、この発明によれば、従来のように鎧、蝶番、ばね部材を配設するのではなく、蝶番を用いることなくテンプルを折り畳み、開放可能に支持することができる。
さらに、前枠の外周部と両レンズの外周との間には空所が形成されているのでばね部材を大きく湾曲することなく、すなわち開放時に両テンプル間に大きな挟持力が作用することがないので使用者の頭部が締め付けられる恐れがない。
上記のことによって、部品点数を減らし、さらに、組み立て工数を少なくすることが出来る。これによって全体のコストを減らすことができる。
また、金属だけでなく、たとえば樹脂も使用可能であるので全体の雰囲気を所望のものに変更できるという効果を有している。
【図面の簡単な説明】
【図１】この発明によるメガネフレームの実施の形態を示し、上方から見た概略図で、説明のために前枠の両端部を変形した説明図である。
【図２】下方から見た概略図で、説明のために前枠の両端部を変形した説明図である。
【図３】前枠の一方にばね部材を介して配設したテンプルを示す概略図で、説明のために少し前枠から離間した説明図である。
【図４】図３に示す状態からさらにテンプルを離間した状態を示す概略説明図である。
【符号の説明】
１……メガネフレーム
２……前枠
３……枠部
４……ブリッジ
５……ノーズ当接部
６……レンズ
７……空所
８……板部
９……起立部
１０……鎧部
１１……ばね板
１２……テンプル
【図１】
2004125889.tif 000003
【図２】
2004125889.tif 000004
【図３】
2004125889.tif 000005
【図４】
2004125889.tif 000006